(57)【要約】【課題】  キーボードが１つのみでも、表示部を手前にすることができる情報処理装置を提供する。【解決手段】  表示データを生成する本体と、前記本体に取り付けられるとともに、前記表示データを表示可能な表示デバイスと、前記本体に設けられ前記表示デバイスに対する前後方向を通常状態と反対向き状態の２通りに取り付け可能な入力デバイスとを具備することを特徴とする情報処理装置。またこの入力デバイスは特に平面外形が点対称であることを特徴とする情報処理装置。【選択図】      図５
2008158761.tif 000002
【特許請求の範囲】
【請求項１】
表示データを生成する本体と、
前記本体に取り付けられるとともに、前記表示データを表示可能な表示デバイスと、
前記本体に設けられ前記表示デバイスに対する前後方向を通常状態と反対向き状態の２通りに取り付け可能な入力デバイスと、
を具備することを特徴とする情報処理装置。
【請求項２】
前記入力デバイスは平面外形が点対称であることを特徴とする請求項１に記載の情報処理装置。
【請求項３】
前記入力デバイスは平面外形における取り付け部位の位置が点対称であることを特徴とする請求項１に記載の情報処理装置。
【請求項４】
前記本体は前記入力デバイスへの電気的接続部分が前記２通りの接続が可能となるよう２又の構造を有することを特徴とする請求項１に記載の情報処理装置。
【請求項５】
前記入力デバイスは前記本体への電気的接続部分が前記２通りの接続が可能となるに十分な長さを有することを特徴とする請求項１に記載の情報処理装置。
【発明の詳細な説明】
【技術分野】
【０００１】
本発明は、情報処理装置に関する。
【背景技術】
【０００２】
ノートパソコンは、通常、表面にキーボード等の入力手段が形成された本体と、この本体にヒンジ等の係合手段で係合された蓋体状の表示デバイスとからなり、この蓋体状の表示デバイスには液晶パネル、プラズマディスプレイパネル等の表示部が備えられている。また、近年のノートパソコンには、本体上の入力手段の手前にタッチパネルが設けられることも多い。
【０００３】
このうちキーボードは入力手段として作業に多く用いられ、その作業のしやすさは、表示部と相俟ってノートパソコン全体の価値を高めるものである。例えば、表示部をキーボードより手前に持ってくると、視点を上げることなく文字入力等が行なえる。
【０００４】
特許文献１に記載されているものは、液晶表示パネル部の両端に２個のキーボード部をヒンジ機構を介して対向させた携帯型電子情報処理装置である。
【特許文献１】実開平４−１２３４４７号公報
【発明の開示】
【発明が解決しようとする課題】
【０００５】
しかし、従来技術は、キーボード部が２個あるためにコスト高となるとともに、同時には使われない１個はスペースや重さ等の点で邪魔であり、ユーザの視点の妨げにもなるという問題があった。
【０００６】
そこで本発明は、キーボードが１つのみでも、表示部を手前にすることができる情報処理装置の提供を目的とする。
【課題を解決するための手段】
【０００７】
上記課題を解決するために、本発明の情報処理装置は、表示データを生成する本体と、前記本体に取り付けられるとともに、前記表示データを表示可能な表示デバイスと、前記本体に設けられ前記表示デバイスに対する前後方向を通常状態と反対向き状態の２通りに取り付け可能な入力デバイスとを具備することを特徴とする。
【発明の効果】
【０００８】
本発明によれば、キーボードが１つのみでも、表示部を手前にすることができる情報処理装置が得られる。
【発明を実施するための最良の形態】
【０００９】
本発明に係る情報処理装置の実施の形態について添付図面を参照して説明する。
【実施例１】
【００１０】
本発明による実施例１を図１乃至図６を参照して説明する。
図１は、本発明に係る情報処理装置１を示す斜視図である。図２は、キーボード外形平面図である。図３は、キーボード取り付け方法を説明するための斜視図である。図４は、キーボード取り付け方法を説明するためのもう一つの斜視図である。図５は、キーボードを逆向きに取り付けた状態のノートパソコンの全体平面図である。図６は、システムを示す概略ブロック図である。
【００１１】
図１に示された情報処理装置１は、ノートパソコンの例であるが、ラップトップ型パソコンであってもよい。この情報処理装置１は、表示データを生成する本体２にヒンジ手段３を介して、前記表示データを表示可能な表示部５を備えた表示デバイス７が回動自在に取り付けられている。ヒンジ手段３は、表示デバイス７を本体２に電気的および機械的に接続している。
【００１２】
図１に示すように、表示デバイス７には表示部５が備えられる。ここで、表示部５とは、表示デバイスに設けられ、使用者が主な作業を行うための表示部である。表示部５としては、たとえば、液晶ディスプレイパネルやプラズマディスプレイパネル等が用いられる。
【００１３】
図１に示すように、本体２には、キーボード等の入力手段６が設けられる。また、本体２には、本体２の表面の前部にタッチパネル機構８を有する。
図２は、キーボード外形平面図である。入力手段６としてのキーボードの略図である。いわゆるQWERTY配列のキー等がある前部１０と通常はファンクションキー等がある後部２０とが主な入力機能部分である。キーボードフレキケーブル３０は本体２に電気的接続を行うためのコネクタを先端に有するものである。後述のシステム接続用のものである。ネジ止め部４１〜４４はキーボードを本体２にネジ止めするための部分である。キーボードの外形は点対称に形成してあり、ネジ止め部４１と４４、ネジ止め部４２と４３も点対称に構成してある。
【００１４】
図３は、キーボード取り付け方法を説明するための斜視図である。キーボードをはずす場合にはキーボードホルダ５０を外し、次にキーボードを固定しているネジ６１、６２を外す。
【００１５】
図４は、キーボード取り付け方法を説明するためのもう一つの斜視図である。本体２内の図示せぬシステム基板のコネクタ７０に接続されているキーボードフレキケーブル３０を外す。
【００１６】
以上は作業方法としては主に取り外し方の説明であったが、次に逆向きに取り付けることに関して説明する。
図５は、キーボードを逆向きに取り付けた状態のノートパソコンの全体平面図である。キーボード外形が図２に関して説明したように点対称のため、180度回転させて実装位置に戻した状態である。表示デバイス７を手前にして使用する。
【００１７】
この状態にするには、キーボードフレキケーブル３０を逆取付用に用意してあるシステム基板の図示せぬコネクタに接続する。次に、先ほど外したネジ６１、６２で再度固定し、キーボードホルダー５０を戻す。
【００１８】
キーボードフレキケーブル３０の逆取付用コネクタが準備できない場合は、キーボードフレキケーブル３０を長くして、逆取付時には折り曲げてキーボード下に収めるようにすればよい。
【００１９】
キーボード外形は、図２のような形状ではなく長方形等でも同様に回転取付可能である。
図６は、（制御）システムを示す概略ブロック図である。
情報処理装置１は、本体２に、制御システムが内蔵されている。
制御システムについて、図面を参照して説明する。図６は、制御システム８０の概略ブロック図である。
制御システム８０は、表示デバイスドライブ手段８１と、それを通じシステムの汎用制御を行うＣＰＵ８２と、キーボードドライブ手段８３と、キーボードコントローラ８４とを備える。また、キーボードコントローラ８４は、コネクタ７０又はキーボードを逆にしたときの接続用でコネクタ７０と同等のコネクタ７１を通じてキーボード６をコントロールする。
【００２０】
＜使用例＞
キーボードを逆取付したノートPCはLCDを底面と平行まで倒し、ノードPCを180度回転させて使用する。LCD表示の180度回転については、従来のタブレットPCなどでも実績があり、表示ドライバで実現する。
【００２１】
ノートPCのキーボードは通常固定されており、PCを逆向きで使用することができないが、キーボードを回転（および表示も回転）させることにより、逆方向からの使用を可能にする。
【００２２】
＜効果＞
ノートPCのキーボードで文字等を入力する際、通常は表示装置(LCD)が前面にあり、入力した文字を確認するには手元から上を見なくてはならない。従来のノートPCでは、キーボードより手前に表示装置(LCD)を置いていないが、キーボードを180度回転させることで(反対向きにすることで)表示装置が手前に置かれ、視点を上げることなく文字入力等が行なえるようになった。実施例のポイントは、次の２点である。
【００２３】
・ノートPCが反対向きで操作可能になる。
・表示装置を手前に置くことで、文字入力時の負担軽減。
＜発明のポイント＞
入力デバイスを上下逆取付できる情報処理装置
１．情報処理装置の入力デバイスを通常状態と、反対向き状態の２通りで操作可能にする
２．情報処理装置の入力デバイスが180度回転できる（外形/取付が点対象の入力デバイス）
＜要旨＞
情報処理装置の入力デバイスを180度回転させて取り付けることにより、情報処理装置を反対向きで操作可能にする。反対向きで使用する場合、入力デバイスより手前に表示デバイスを持ってくることができ、視点を上げることなく文字入力等が行なえる。
【００２４】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２５】
【図１】本発明に係る実施例の情報処理装置を示す斜視図。
【図２】同実施例のキーボード外形平面図。
【図３】同実施例のキーボード取り付け方法を説明するための斜視図。
【図４】同実施例のキーボード取り付け方法を説明するための斜視図。
【図５】同実施例のキーボードを逆向きに取り付けた状態のノートパソコンの全体平面図。
【図６】同実施例のシステムを示す概略ブロック図。
【符号の説明】
【００２６】
１  情報処理装置
２  本体
３  ヒンジ手段
５  表示部
６  入力手段
７  表示デバイス
８  タッチパネル機構
１０  キーボード前部
２０  キーボード後部
３０  キーボードフレキケーブル
４１，４２，４３，４４  ネジ止め部
５０  キーボードホルダ
６１，６２  ネジ
７０，７１  コネクタ
８０  制御システム
８１  表示デバイスドライブ手段
８２  ＣＰＵ
８３  キーボードドライブ手段
８４  キーボードコントローラ
【図１】
2008158761.tif 000003
【図２】
2008158761.tif 000004
【図３】
2008158761.tif 000005
【図４】
2008158761.tif 000006
【図５】
2008158761.tif 000007
【図６】
2008158761.tif 000008